(57)【特許請求の範囲】
【請求項１】
周面に多数の透孔を有する内筒の外周面に吸音材が嵌合され、この吸音材の外周面および上下各端面が外筒、上側仕切り板および下側仕切り板によってそれぞれ覆われた吸音部と、前記上側仕切り板にほぼ同心状態で突き合わされた円筒状のフィルター部材とを具備する吸い込み消音器において、前記外筒の上端部が、吸音材の上端面を取り囲むように全周にわたって上側仕切り板から上方に突出されるとともに、該外筒の上端部に、下端縁が上側仕切り板と同一水平面内に位置する切欠部が設けられていることを特徴とする吸い込み消音器。
【発明の詳細な説明】
【０００１】
【発明の属する技術分野】
本発明は、例えば汚水を曝気処理するために空気を汚水内に吐出するブロアにおいて、ブロアに空気を供給する給気管の空気吸い込み口等に装着される吸い込み消音器に関する。
【０００２】
【従来の技術】
汚水槽等に配置されて、汚水槽内の汚水を曝気処理するために使用されるブロアには給気管が接続されており、この給気管によって、ブロアに空気が供給されるようになっている。給気管の空気の吸い込み口には、空気を吸い込む際に発生する騒音を防止するために、吸い込み消音器が取り付けられている。
【０００３】
吸い込み消音器には、通常、周面に多数の透孔を有する内筒の外周面に、多孔性物質によって構成された円筒状の吸音材を嵌合し、その吸音材の外周面を外筒によって覆って構成された吸音部が設けられている。この吸音部は、ブロアに空気を供給する給気管に接続されており、ブロアに供給される空気が、吸音部の内筒内を通過する際に、空気の振動等による騒音が、吸音材によって吸収されるようになっている。
【０００４】
吸い込み消音器には、吸い込まれる空気を浄化するために、フィルター部材が設けられている。このフィルター部材は、内筒とほぼ同心状態になるように並んで配置されており、フィルター部材の端面が、消音部における消音材の端面に突き合わされた状態になっている。フィルター部材の周囲の空気は、フィルター部材内に吸い込まれる際に、フィルター部材によって浄化され、浄化された空気が、吸音部の内筒内に供給されるようになっている。
【０００５】
吸音部における外筒は、吸音材に突き当てられたフィルター部材の端部を取り囲むように、吸音材の端面からフィルター部材側に全周にわたって突出した状態になっており、フィルター部材によって除去されて吸音材の端面上に落下した塵埃等は、外筒の上方に突出した端部によって、消音器の周囲に飛散することが防止される。
【０００６】
【発明が解決しようとする課題】
このような消音器では、使用している間に、塵埃等の異物がフィルター部材に付着して目詰まり等が生じるおそれがある。このために、フィルター部材は、定期的に清掃および交換される。フィルター部材の交換等に際して、吸音材の端面上に落下した塵埃等は、消音部の内筒および給気管内に落下しないように、吸音材の端面から除去する必要がある。しかしながら、吸音材の端面は、外筒の端部によって取り囲まれた状態になっており、吸音材の端面上の塵埃等を容易に除去することができないという問題がある。
【０００７】
本発明は、このような問題を解決するものであり、その目的は、吸音材の端面に付着した塵埃等を容易に除去することができる吸い込み消音器を提供することにある。
【０００８】
【課題を解決するための手段】
本発明の吸い込み消音器は、周面に多数の透孔を有する内筒の外周面に吸音材が嵌合され、この吸音材の外周面および上下各端面が外筒、上側仕切り板および下側仕切り板によってそれぞれ覆われた吸音部と、前記上側仕切り板にほぼ同心状態で突き合わされた円筒状のフィルター部材とを具備する吸い込み消音器において、前記外筒の上端部が、吸音材の上端面を取り囲むように全周にわたって上側仕切り板から上方に突出されるとともに、該外筒の上端部に、下端縁が上側仕切り板と同一水平面内に位置する切欠部が設けられていることを特徴とする。
【０００９】
【発明の実施の形態】
以下、本発明の実施の形態を図面に基づいて詳細に説明する。図１は、本発明の吸い込み消音器の実施の形態の一例を示す縦断面図である。この吸い込み消音器は、例えば汚水を曝気処理するために空気を汚水内に吐出するブロアに接続された給気管の空気吸い込み口に装着されるようになっており、給気管の空気吸い込み側端部に取り付けられる連結管１０と、連結管１０の上側に設けられた吸音部２０と、吸音部２０のさらに上側に設けられたフィルター部３０と、フィルター部３０を覆うキャップ部４０とを有している。
【００１０】
連結管１０は、垂直状態に配置された給気管の端部に、同心状態で垂直に取り付けられるようになっており、その下端部には、外方に水平に突出したフランジ部１１が全周にわたって設けられている。連結管１０のフランジ部１１は、給気管の上端部に設けられたフランジ部にボルト止めされるようになっている。
【００１１】
連結管１０の上端部には、円筒状をした吸音部２０が、連結管１０と同心状態で連結されている。吸音部２０の軸心部には、周面に多数の透孔を有する内筒２１と、内筒２１の外周面に嵌合された吸音材２２と、吸音材２２の外周面に嵌合された外筒２３とを有している。
【００１２】
内筒２１と外筒２３との間に位置する吸音材２２は、多孔性物質によって構成されており、その下端面は、水平状態になった円板状の下側仕切り板２４によって覆われている。吸音材２２の上端面も、水平状態になった円板状の上側仕切り板２５によって覆われている。下側仕切り板２４および上側仕切り板２５の中央部には、貫通孔２４ａおよび２５ａがそれぞれ設けられており、各貫通孔２４ａおよび２５ａの周縁部が、内筒２１内に進入するように湾曲されている。
【００１３】
外筒２３の上端部は、全周にわたって、上側仕切り板２５よりも上方に突出した状態になっており、吸音材２２の上端面が、上側仕切り板２５から上方に突出した外筒２３の上端部によって取り囲まれた状態になっている。そして、上側仕切り板２４から上方に突出した外筒２３の上端部には、周方向の一か所に、切欠部２３ａが設けられている。この切欠部２３ａは、外筒２３の上端縁から上側仕切り板２５に達する上下方向長さになっており、切欠部２３ａの下側縁は、上側仕切り板２５と同一水平面内に位置している。
【００１４】
上側仕切り板２５上に設けられたフィルター部３０は、周面に多数の透孔を有する筒体３１と、筒体３１の外周面に密着した状態で嵌合された円筒状のフィルター部材３２とを有している。筒体３１は、吸音材２２の上端面に上側仕切り板２５を介して、ほぼ同心状態で突き当てられており、フィルター部材３２も、吸音材３２の上端面における外周部分に、上側仕切り板２５を介して、同心状態で突き当てられている。フィルター部材３２の外径は、吸音部２０の外筒２３の外径よりも若干小さくなっており、従って、上側仕切り板２４から上方に突出した外筒２３の上端部とは適当な間隔が設けられている。
【００１５】
上側仕切り板２５上には、フィルター部３０における筒体３１の内部に配置された取付部材３３が取り付けられている。この取付部材３３は、上側仕切り板２５に貫通孔２５ａを挟んで各先端部が支持される二股状になっており、上側に位置する中央部が水平になっている。取付部材３３の水平になった中央部には、垂直状態になったボルト３４の頭部が、先端部を上側に向けて取り付けられている。ボルト３４には、パッキング３５が、頭部の上側に嵌合されている。
【００１６】
ボルト３４には、フィルター部３０を覆うキャップ部４０が取り付けられている。キャップ部４０は、フィルター部３０の上端面を覆う円板状をした水平な蓋体４１を有している。この蓋体４１の中央部には、貫通孔が設けられており、その貫通孔が取付部材３３上に取り付けられたボルト３４に嵌合されるようになっている。そして、ボルト３４に蝶ナット３６をネジ結合させることによって、蓋体４１がボルト３４に固定された状態になる。
【００１７】
蓋体４１の外径は、吸音部２０における外筒２３の外径よりも大きくなっており、その外周縁部は、下方に向かって屈曲されている。蓋体４１の外周縁部には、円筒状になったガイド体４２の上端部が取り付けられている。ガイド体４２の下端部は、吸音部２０における外筒２３の上端部を、適当な間隔をあけて覆った状態になっている。
【００１８】
このような構成の吸い込み消音器は、汚水槽等に配置されたブロアに接続された給気管の空気吸い込み側端部に取り付けられて使用される。ブロアが駆動されると、吸い込み消音器のキャップ部４０におけるガイド筒４２の下端面からガイド筒４２内に空気が吸引される。ガイド筒４２内に吸引された空気は、フィルター部３０のフィルター３２を透過して、筒体３１の透孔を通って、筒体３１内に流入する。このとき、空気内に含まれる塵埃、異物等がフィルター３２によって除去されて浄化される。フィルター３２によって除去された塵埃等の一部は、フィルター３２の周囲の上側仕切り板２５上に落下した状態になる。
【００１９】
筒体３１内に流入した空気は、上側仕切り板２５の貫通孔２５ａを通って、吸音部２０の内筒２１内に流入し、この内筒２１内を下方に向かって流下する。そして、内筒２１内を空気が通過する間に、空気伝播音が、多孔性物質によって構成された吸音材２２によって吸収される。
【００２０】
内筒２１内を通過した空気は、連結管１０および給気管を通って、ブロアに供給され、ブロアによって、汚水内に吐出される。これにより、汚水が曝気処理される。
【００２１】
このような動作の間に、空気から除去された塵埃等によってフィルター部材３２が目詰まりしたり汚染した場合には、フィルター部材３２が筒体３１とともに交換される。この場合には、蝶ナット３６をボルト３４から取り外して、キャップ部４０全体がボルト３４から取り外される。そして、フィルター部材３２と、外筒２３との間の上側仕切り板２５上に堆積した塵埃等が、刷毛、あるいは手作業によって、外筒２３の上端部に設けられた切欠部２３ａから排出されて、上側仕切り板２５上から除去される。その後、フィルター部材３２が筒体３１とともに取り替えられる。
【００２２】
このように、フィルター部材３２を取り替える際に、フィルター部材３２の周囲の上側仕切り板２５上に堆積した塵埃等は、内筒２１、連結管１０および給気管内に落下するおそれがなく、ブロアが塵埃等によって詰まるおそれがない。
【００２３】
【発明の効果】
本発明の吸い込み消音器によれば、吸音材の上端面を覆う上側仕切り板を取り囲む外筒の上端部に切欠部が設けられているために、上側仕切り板に突き当てられたフィルター部材から落下して上側仕切り板上に付着した塵埃等を、その切欠部を通して容易に除去することができる。
【図面の簡単な説明】
【図１】本発明の吸い込み消音器の実施の形態の一例を示す縦断面図である。
【符号の説明】
１０  連結管
１１  フランジ部
２０  吸音部
２１  内筒
２２  吸音材
２３  外筒
２３ａ  切欠部
２４  下側仕切り板
２５  上側仕切り板
３０  フィルター部
３１  筒体
３２  フィルター部材
３３  取付部材
３４  ボルト
３５  パッキング
３６  蝶ナット
４０  キャップ部
４１  蓋体
４２  ガイド体
【図１】
0003705376.tif 000002